(57)【特許請求の範囲】
【請求項１】
電圧側の接触子、接地側の接触子並びに接地極の接触子が各々挿入される３個１組の接触子挿入口が前面に設けられたハウジングと、ハウジング内において各接触子挿入口から挿入される接触子と各別に電気的に接続される電圧側刃受ばね、接地側刃受ばね及び接地極刃受ばねと、これらの刃受ばねと各別に導通し外部の電線がそれぞれ接続される電圧側端子部、接地側端子部及び接地極端子部と、ハウジングの前面側に露出するとともに外部のアース線が接続されるアース線接続部とを備え、ハウジングの背面近傍から前面側へ、ハウジングの幅寸法より狭幅の載置台を、該載置台の前面がハウジングの前面より前方に位置しないように立設するとともに、載置台の前面にアース線接続部を配設し、先端に向かって傾斜しながら載置台の前面から離れる向きに起立するアース端子片をアース線接続部の端縁に突設していることを特徴とする露出コンセント。
【請求項２】
造営面への取付面となるハウジングの背面に段差を形成したことを特徴とする請求項１記載の露出コンセント。
【請求項３】
電圧側端子部、接地側端子部及び接地極端子部からそれぞれ各別に送り配線するための送り配線端子部を備えたことを特徴とする請求項１又は２記載の露出コンセント。
【請求項４】
ハウジングの前面に、電圧側の接触子、接地側の接触子並びに接地極の接触子が各々挿入される３個１組の接触子挿入口を複数組設けたことを特徴とする請求項１又は２又は３記載の露出コンセント。
【発明の詳細な説明】
【０００１】
【発明の属する技術分野】
本発明は、アース線が接続可能なアース線接続部を備えて壁面等の造営面に露出して配設される露出コンセントに関するものである。
【０００２】
【従来の技術】
従来の露出コンセントは、アース線を接続するためのアース線接続部がハウジング内に収納されて外に露出していなかった。このため、ハウジングを分割形成し、ハウジングを分離させた状態でアース線をアース線接続部に接続した後にハウジングを組み立てていた。
【０００３】
【発明が解決しようとする課題】
上記従来構成ではアース線接続部がハウジングの外に露出していないため、例えば電動工具等に付設されているアース線（通常、先端部に圧着端子や鰐口クリップが取り付けてある）を接続することができなかった。また、アース線接続部には通常ねじ式の端子が用いられているため、仮にアース線接続部をハウジングの外に露出させても鰐口クリップのような接続具を使ってアース線を接続することが困難であった。
【０００４】
本発明は上記事情に鑑みて為されたものであり、その目的とするところは、ハウジングを組み立てた状態でアース線を接続することができるとともに鰐口クリップのような接続具でも容易に接続可能な露出コンセントを提供することにある。
【０００５】
【課題を解決するための手段】
請求項１の発明は、上記目的を達成するために、電圧側の接触子、接地側の接触子並びに接地極の接触子が各々挿入される３個１組の接触子挿入口が前面に設けられたハウジングと、ハウジング内において各接触子挿入口から挿入される接触子と各別に電気的に接続される電圧側刃受ばね、接地側刃受ばね及び接地極刃受ばねと、これらの刃受ばねと各別に導通し外部の電線がそれぞれ接続される電圧側端子部、接地側端子部及び接地極端子部と、ハウジングの前面側に露出するとともに外部のアース線が接続されるアース線接続部とを備え、ハウジングの背面近傍から前面側へ、ハウジングの幅寸法より狭幅の載置台を、該載置台の前面がハウジングの前面より前方に位置しないように立設するとともに、載置台の前面にアース線接続部を配設し、先端に向かって傾斜しながら載置台の前面から離れる向きに起立するアース端子片をアース線接続部の端縁に突設していることを特徴とし、アース線接続部をハウジングの前面に露出させているため、ハウジングを組み立てた状態でアース線をアース線接続部に接続することができるとともに、アース線接続部が具備するアース端子片に鰐口クリップのような接続具を容易に接続することが可能となる。加えて、ハウジングが取り付けられる造営面からアース線接続部を離すことにより、アース線の結線がし易くなる。
【０００７】
請求項２の発明は、請求項１の発明において、造営面への取付面となるハウジングの背面に段差を形成したことを特徴とし、円筒面となった造営面に対してハウジングを取り付けた場合でもハウジングを割れ難くすることができる。
【０００８】
請求項３の発明は、請求項１又は２の発明において、電圧側端子部、接地側端子部及び接地極端子部からそれぞれ各別に送り配線するための送り配線端子部を備えたことを特徴とし、使い勝手の向上が図れる。
【０００９】
請求項４の発明は、請求項１又は２又は３の発明において、ハウジングの前面に、電圧側の接触子、接地側の接触子並びに接地極の接触子が各々挿入される３個１組の接触子挿入口を複数組設けたことを特徴とし、１つの露出コンセントに複数のプラグを接続することができて使い勝手が良くなる。
【００１０】
【発明の実施の形態】
以下、図１〜図５を参照して本発明の一実施形態を詳細に説明する。
【００１１】
図１は本実施形態の分解斜視図であり、ユリア樹脂等の熱硬化性樹脂により略矩形に形成されたボディ１ａとカバー１ｂとを組立ねじ２により結合してハウジング１を構成している。
【００１２】
カバー１ｂの前面（ハウジング１の前面）には、３個１組の接触子挿入口４ａ，４ｂ，４ｃが長手方向に沿って２組設けてあって、接地極付のプラグ（図示せず）が２個同時に接続できるようになっている。ここで、プラグの接地側の接触子（平板状の栓刃）が挿入される接触子挿入口４ａ，４ａと、同じプラグの電圧側の接触子（平板状の栓刃）が挿入される接触子挿入口４ｂ，４ｂとは矩形に形成されており、電圧側の接触子挿入口４ｂ，４ｂに対して接地側の接触子挿入口４ａ，４ａの方が長手方向の寸法を長くしてある。また、プラグの接地極の接触子（例えば、断面形状略Ｕ形や円柱状等の導電ピン）が挿入される接触子挿入口４ｃ，４ｃは略半円状に形成されている。なお、カバー１ｂの前面略中央には、組立ねじ２が挿通されるねじ挿通孔３が設けてある。
【００１３】
一方、ハウジング１の内部には接触子挿入口４ａ…から挿入された接触子（栓刃並びに導電ピン）と各別に電気的及び機械的に接続される一対の接地側刃受ばね１１，１１、電圧側刃受ばね２１，２１並びに接地極刃受ばね３１，３１が、各接触子挿入口４ａ，４ｂ，４ｃの奥に位置するように収納されている。ここで、接地側刃受ばね１１，１１並びに電圧側刃受ばね２１，２１は、板状の金属部材を加工することで、端子ねじ４０とともに接地側端子部を構成する接地側端子板１２並びに電圧側端子板２２の両端に略逆Ω形に一体形成されている。そして、接地側刃受ばね１１，１１と接地側端子板１２とで接地側刃受ばねブロック１０が構成されるとともに、電圧側刃受ばね２１，２１と電圧側端子板２２とで電圧側刃受ばねブロック２０が構成されている。
【００１４】
接地側端子板１２には端子ねじ４０が螺着される一対のねじ孔１２ａ，１２ａが設けられ、その一端部から延設された延設片１３の先端に各々接地側刃受ばね１１，１１が形成されている。また、ねじ孔１２ａ，１２ａの周囲の接地側端子板１２上面にはねじ孔１２ａ，１２ａを中心とする略放射状にローレット１８が設けてあるので、端子ねじ４０と接地側端子板１２との間で挟持される電線の芯線のすべりを抑え、不用意に電線が抜けることがないという利点がある。ここでは接地側刃受ばねブロック１０について説明したが、電圧側刃受ばねブロック２０も接地側刃受ばねブロック１０と共通の構造を有する。すなわち、電圧側端子板２２には端子ねじ４０が螺着される一対のねじ孔２２ａ，２２ａが設けられ、その一端部から延設された延設片２３の先端に各々電圧側刃受ばね２１，２１が形成されている。また、ねじ孔２２ａ，２２ａの周囲の電圧側端子板２２上面にはねじ孔２２ａ，２２ａを中心とする略放射状にローレット２８が設けてある。なお、接地側端子板１２並びに電圧側端子板２２には、後述するようにボディ１ａに設けられた平面視略Ｔ字形の圧入溝７ａ，７ａ、８ａ，８ａにそれぞれ圧入される突片１４，１４、２４，２４が切り起こし形成されている。また、上述のように接地側及び電圧側の端子板１２，２２にそれぞれねじ孔１２ａ，２２ａを各一対ずつ設けることで一方の端子ねじ４０と端子板１２，２２とで送り配線用の送り配線端子部が構成される。
【００１５】
一方、接地極刃受ばねブロック３０は、一対の接地極刃受ばね３１，３１と、これら接地極刃受ばね３１，３１を橋絡する帯板状の橋絡片３２と、橋絡片３２の一端部から左右に延設された接地極端子板３３と、後述するアース線接続部３４を構成するアース線接続端子板３５とが板状金属部材により一体に形成されて成るものである。接地極端子板３３は、端子ねじ４１が螺着されるねじ孔３３ａが両端部に設けられ、略中央部には一方の接地極刃受ばね３１が略逆Ω形に折曲形成されている。ここで、橋絡片３２並びに接地極端子板３３には、後述するようにボディ１ａに設けられた平面視略Ｔ字形の圧入溝９ａ…にそれぞれ圧入される突片３２ａ、３３ｂ，３３ｂが突設されている。そして、接地極端子板３３と端子ねじ４１とで接地極端子部及び送り配線端子部が構成される。なお、接地極端子板３３のねじ孔３３ａ周縁にも略放射状にローレット３３ｃが形成してある。
【００１６】
一方、アース線接続端子板３５は、橋絡片３２と反対側の接地極端子板３３の端縁から延設された略クランク状の立ち上げ片３６，３６の先端部間に設けられ、略中央に端子ねじ４２が螺着されるねじ孔３５ａが設けられるとともに、両端縁からは先端に向かって傾斜しながら上方に起立するアース端子片３７，３７が接地極端子板３３に沿った左右方向に突設されている。また、アース線接続端子板３５の立ち上げ片３６，３６との連結部分からは、後述するようにボディ１ａの載置台５０前面に設けられた平面視略Ｔ字形の圧入孔５１に圧入される圧入片３５ｂ，３５ｂが折曲形成されている。なお、アース線接続端子板３５のねじ孔３５ａ周縁にも略放射状にローレット３５ｃが形成してある。
【００１７】
ボディ１ａ前面の長手方向一端側には略コ字形の第１の仕切壁５ａが突設され、この第１の仕切壁５ａの内側略中央に突設された第２の仕切壁５ｂで第１の仕切壁５ａの内側が２分されている。さらに、第２の仕切壁５ｂの端部から枝分かれするようにボディ１ａの長手方向に沿って略Ｊ字形の第３及び第４の仕切壁５ｃ，５ｄが突設されている。そして、第１〜第３の仕切壁５ａ〜５ｃで囲まれた第１の収納空間６ａに接地側刃受ばねブロック１０が収納され、第１，第２及び第４の仕切壁５ａ，５ｂ，５ｄで囲まれた第２の収納空間６ｂに電圧側刃受ばねブロック２０が収納される。さらに、第３及び第４の仕切壁５ｃ，５ｄに挟まれた第３の収納空間６ｃに接地極刃受ばねブロック３０の一方の接地極刃受ばね３１並びに橋絡片３２が収納される。なお、第１の仕切壁５ａ両端と第３及び第４の仕切壁５ｃ，５ｄの端部間にはそれぞれ接地側端子板１２及び電圧側端子板２２が載置される第１及び第２の台部７，８が突設されている。
【００１８】
第１及び第２の台部７，８には、接地側端子板１２及び電圧側端子板２２にそれぞれ設けられた突片１４，１４、２４，２４が圧入される平面視略Ｔ字形の圧入溝７ａ，８ａと、両端子板１２，２２のねじ孔１２ａ，２２ａに螺着される端子ねじ４０が挿通される挿通孔７ｂ，８ｂと、両端子板１２，２２の端縁略中央に形成された切欠部１５，２５と係合する突起７ｃ，８ｃとがそれぞれ設けてある。而して、両端子板１２，２２の突片１４，１４、２４，２４を圧入溝７ａ，８ａに圧入するとともに切欠部１５，２５を突起７ｃ，８ｃに係合することで第１及び第２の収納空間６ａ，６ｂに対する接地側刃受ばねブロック１０及び電圧側刃受ばねブロック２０の位置決め及び固定が為される。
【００１９】
また、第３の収納空間６ｃの開口端近傍には、接地極端子板３３が載置される第３の台部９が突設されている。この第３の台部９には、接地極端子板３３に突設された突片３３ｂ…が圧入される平面視略Ｔ字形の圧入溝９ａと、接地極端子板３３のねじ孔３３ａに螺着される端子ねじ４１が挿通される挿通孔９ｂとが設けてある。さらに、第３の収納空間６ｃ内のボディ１ａ前面には、橋絡片３２に突設されている突片３２ａが圧入される平面視略Ｔ字形の圧入溝６ｄが設けてある。而して、橋絡片３２の突片３２ａを圧入溝６ｄに圧入するとともに接地極端子板３３の突片３３ｂ…を圧入溝９ａ…にそれぞれ圧入することで第３の収納空間６ｃに対する接地極刃受ばねブロック３０の位置決め及び固定が為される。
【００２０】
ところで、ボディ１ａ前面の長手方向端部（第３の台部９側の端部）には、前面にアース線接続端子板３５が載置される略角柱状の載置台５０が突設されている。この載置台５０の前面には、アース線接続端子板３５に折曲形成されている圧入片３５ｂ，３５ｂが圧入される平面視略Ｔ字形の圧入孔５１，５１と、アース線接続端子板３５のねじ孔３５ａに螺着された端子ねじ４２が挿通される挿通孔５２とが設けてある。而して、アース線接続端子板３５の圧入片３５ｂ，３５ｂを圧入孔５１，５１に圧入することでアース線接続端子板３５が載置台５０に対して固定される。ここで、アース線接続端子板３５が載置台５０の前面に載置されている状態では、アース線接続端子板３５に形成されている一対のアース端子片３７，３７が先端に向かって傾斜しながら載置台５０の前面から離れる向きに立ち上がることになる。
【００２１】
ところで、ボディ１ａの四隅には、壁面等の造営面にボディ１ａを取り付けるための取付ねじが挿通されるねじ挿通孔６０が前面から背面にかけて貫通するようにして設けてある。また、第１及び第２の台部７，８の両側には、上記接地側及び電圧側の端子部及び送り配線端子部に接続される電線を挿入するための電線挿入口６１が各々一対ずつ設けてある。さらに、ボディ１ａの第３の収納空間６ｃ内には、組立ねじ２が螺合するねじ孔６２が設けてある（図５参照）。
【００２２】
一方、カバー１ｂの載置台５０と対向する長手方向一端部には、接触子挿入口４ａ…が開口するカバー１ｂ前面よりも背面側へ後退するように段差が形成され、この段差部分に載置台５０をカバー１ｂの前面に露出するために開口部５４が形成されている。カバー１ｂの短幅方向に沿って開口部５４の両側に位置する段部５５，５５は、ボディ１ａとカバー１ｂを組立ねじ２で結合してハウジング１を組み立てた状態でそれぞれ載置台５０のボディ１ａ短幅方向両側に位置するねじ挿通孔６０，６０前面を覆うとともに、載置台５０の側面に当接する。さらに、ハウジング１を組み立てた状態では、開口部５４のカバー１ｂ前面側の端縁が載置台５０の前面端部に当接している。なお、カバー１ｂ裏面の開口部５４近傍にリブ５６が突設されており、載置台５０の第３の台部９側の側面に凹設されている嵌合溝５３に上記リブ５６を嵌合させることで開口部５４と載置台５０との位置決めを行っている（図１参照）。
【００２３】
而して、ハウジング１を組み立てた状態においては、図２〜図４に示すように載置台５０の前面に載置されているアース線接続端子板３５、端子ねじ４２並びにアース端子片３７，３７のみが開口部５４から露出し、ハウジング１内に収納されている接地側刃受ばねブロック１０等の充電部がハウジング１から露出することはない。
【００２４】
ここで、上述のように構成される本実施形態の露出コンセントを壁面等の造営面に配設する手順について簡単に説明する。まず、ボディ１ａの電線挿入口６１から挿入した電線（図示せず）の芯線を接地側端子板１２及び電圧側端子板２２に端子ねじ４０によって結線する。このとき、電線挿入口６１から挿入したアース線（図示せず）も同様に接地極端子板３３に端子ねじ４１によって結線する。なお、これらの電線やアース線が壁内部に配線されている場合には、壁に設けた孔から引き出した電線等をそのままボディ１ａの背面側から電線挿入口６１へ挿入すればよい。一方、電線等が壁面に沿って配設されている場合には、ボディ１ａ側面に設けられた複数の薄肉部（所謂ノックアウト部）５７…の適当なものを割り取って形成される孔に電線等を通してから電線挿入口６１へ挿入すればよい。
【００２５】
電線等の結線が完了すれば、ボディ１ａの背面を造営面に当接させた状態でボディ１ａの四隅に設けたねじ挿通孔６０…に挿通した取付ねじ（図示せず）によりボディ１ａを壁面に取付固定する。そして、ボディ１ａの前面にカバー１ｂをかぶせて組立ねじ２により両者を結合することでハウジング１が組み立てられ、露出コンセントが壁面に配設される。ここで、壁面が円筒面のように湾曲している場合、ハウジング１（ボディ１ａ）の背面が平坦であると取付ねじを締め付けたときにボディ１ａが割れてしまう虞がある。そのため、本実施形態の露出コンセントでは、ボディ１ａ背面の長手方向両端部に対して、その内側部分に段差をつけて前面側へ凹んだ凹所５８を形成している。すなわち、ボディ１ａの背面に段差をつけて凹所５８を形成しているため、円筒面のように湾曲した造営面に対してボディ１ａを取り付ける場合でもボディ１ａが割れ難くなるという利点がある。
【００２６】
上述のように構成される本実施形態によれば、外部のアース線を接続するためのアース線接続部３４がハウジング１の前面に露出しているため、ボディ１ａとカバー１ｂを結合してハウジング１を組み立てた状態でアース線をアース線接続部３４に接続することができ、しかも、アース線接続端子板３５にアース端子片３７，３７を設けているから、鰐口クリップのような接続具を容易に接続することが可能となる。また、アース線接続部３４をボディ１ａの前面に突設した載置台５０の前面に載置しているので、ハウジング１が取り付けられる造営面からアース線接続部３４を離すことにより、アース線の結線がし易くなるという利点がある。
【００２７】
なお、本実施形態では３個１組の接触子挿入口４ａ，４ｂ，４ｃをハウジング１の前面に２組設けているが、これに限定する趣旨ではなく、３個１組の接触子挿入口４ａ，４ｂ，４ｃをハウジング１の前面に１組あるいは３組以上設けても良い。また、各接触子挿入口４ａ，４ｂ，４ｃを略弧状に形成するとともに、プラグ側の接触子と係合する係合手段を各刃受ばね１１，２１，３１に設けてプラグの抜け止めを可能とした従来周知の抜け止め構造を採用しても良い。
【００２８】
【発明の効果】
請求項１の発明は、電圧側の接触子、接地側の接触子並びに接地極の接触子が各々挿入される３個１組の接触子挿入口が前面に設けられたハウジングと、ハウジング内において各接触子挿入口から挿入される接触子と各別に電気的に接続される電圧側刃受ばね、接地側刃受ばね及び接地極刃受ばねと、これらの刃受ばねと各別に導通し外部の電線がそれぞれ接続される電圧側端子部、接地側端子部及び接地極端子部と、ハウジングの前面側に露出するとともに外部のアース線が接続されるアース線接続部とを備え、ハウジングの背面近傍から前面側へ、ハウジングの幅寸法より狭幅の載置台を、該載置台の前面がハウジングの前面より前方に位置しないように立設するとともに、載置台の前面にアース線接続部を配設し、先端に向かって傾斜しながら載置台の前面から離れる向きに起立するアース端子片をアース線接続部の端縁に突設したので、アース線接続部をハウジングの前面に露出させているため、ハウジングを組み立てた状態でアース線をアース線接続部に接続することができるとともに、アース線接続部が具備するアース端子片に鰐口クリップのような接続具を容易に接続することが可能となるという効果がある。加えて、ハウジングが取り付けられる造営面からアース線接続部を離すことにより、アース線の結線がし易くなるという効果がある。
【００３０】
請求項２の発明は、造営面への取付面となるハウジングの背面に段差を形成したので、円筒面となった造営面に対してハウジングを取り付けた場合でもハウジングを割れ難くすることができるという効果がある。
【００３１】
請求項３の発明は、電圧側端子部、接地側端子部及び接地極端子部からそれぞれ各別に送り配線するための送り配線端子部を備えたので、使い勝手の向上が図れるという効果がある。
【００３２】
請求項４の発明は、ハウジングの前面に、電圧側の接触子、接地側の接触子並びに接地極の接触子が各々挿入される３個１組の接触子挿入口を複数組設けたので、１つの露出コンセントに複数のプラグを接続することができて使い勝手が良くなるという効果がある。
【図面の簡単な説明】
【図１】本発明の一実施形態を示す分解斜視図である。
【図２】同上の正面図である。
【図３】同上の側面図である。
【図４】同上の側面図である。
【図５】同上のカバーを取り外した状態の正面図である。
【符号の説明】
１  ハウジング
１ａ  ボディ
１ｂ  カバー
４ａ〜４ｃ  接触子挿入口
３４  アース線接続部
３７  アース端子片
５０  載置台
５４  開口部
【図１】
0003610801.tif 000002
【図２】
0003610801.tif 000003
【図３】
0003610801.tif 000004
【図４】
0003610801.tif 000005
【図５】
0003610801.tif 000006